(57)【要約】【課題】  テレビジョン等のＣＥ器機に適切なレイアウトとインタラクション方式を使用するユーザーインタフェースを提供することができる。【解決手段】  本発明による映像処理装置は、映像を処理して表示する映像処理部と；ユーザーの選択事項を入力受けるユーザー入力部と；ユーザーインタフェースの大きさ単位を複数に設定し、前記ユーザーの選択事項にしたがって複数の大きさ単位の中で、選択された前記大きさ単位を含む領域に前記ユーザーインタフェースを表示するように、前記映像処理部を制御する制御部とを含む。【選択図】      図２
2010262642.tif 000002
【特許請求の範囲】
【請求項１】
映像処理装置において、
映像を処理して表示する映像処理部と；
ユーザーの選択事項を入力受けるユーザー入力部と；
ユーザーインタフェースの大きさ単位を複数に設定し、前記ユーザーの選択事項にしたがって複数の大きさ単位の中で、選択された前記大きさ単位を含む領域に前記ユーザーインタフェースを表示するように、前記映像処理部を制御する制御部と；
を含むことを特徴とする映像処理装置。
【請求項２】
前記大きさ単位は、前記ユーザーインタフェースが表示される領域又は前記映像が表示される領域を一定間隔に分割し、前記一定間隔の整数倍に該当するように構成されることを特徴とする請求項１に記載の映像処理装置。
【請求項３】
前記制御部は、同一種類の前記ユーザーインタフェースに対して前記大きさ単位を複数に設定するように前記映像処理部を制御することを特徴とする請求項１に記載の映像処理装置。
【請求項４】
前記制御部は、前記ユーザーインタフェースの編集時に、前記ユーザーインタフェースが表示される領域と前記ユーザーインタフェースの編集メニューとを同時に表示するように前記映像処理部を制御することを特徴とする請求項１に記載の映像処理装置。
【請求項５】
前記制御部は、前記ユーザーインタフェースが表示される領域又は前記映像が表示される領域に、一定間隔に分割された区画を表示するように前記映像処理部を制御することを特徴とする請求項１に記載の映像処理装置。
【請求項６】
前記制御部は、少なくとも一つ以上の前記ユーザーインタフェースに含まれる内容を合わせて表示するように前記映像処理部を制御することを特徴とする請求項１に記載の映像処理装置。
【請求項７】
前記制御部は、前記ユーザーインタフェースの位置を複数に設定し、前記ユーザーの選択事項にしたがって選択された前記位置に前記ユーザーインタフェースを表示するように、前記映像処理部を制御することを特徴とする請求項１に記載の映像処理装置。
【請求項８】
前記ユーザーインタフェースは、ウィジェット、応用プログラム及びＯＳＤの中で少なくとも一つであることを特徴とする請求項１に記載の映像処理装置。
【請求項９】
映像処理方法において、
ユーザーインタフェースの大きさ単位を複数に設定する段階と；
ユーザーの選択事項を入力受ける段階と；
前記ユーザーの選択事項にしたがって複数の大きさ単位の中で選択された前記大きさ単位を含む領域に前記ユーザーインタフェースを表示する段階と；
を含むことを特徴とする映像処理方法。
【請求項１０】
前記大きさ単位は、前記ユーザーインタフェースが表示される領域又は前記映像が表示される領域を一定間隔に分割し、前記一定間隔の整数倍に該当するように構成されることを特徴とする請求項９に記載の映像処理方法。
【請求項１１】
同一種類の前記ユーザーインタフェースに対して前記大きさ単位を複数に設定することを特徴とする請求項９に記載の映像処理方法。
【請求項１２】
前記ユーザーインタフェースの編集時に、前記ユーザーインタフェースが表示される領域と前記ユーザーインタフェースの編集メニューとを同時に表示することを特徴とする請求項９に記載の映像処理方法。
【請求項１３】
前記ユーザーインタフェースが表示される領域又は前記映像が表示される領域に、一定間隔に分割された区画を表示することを特徴とする請求項９に記載の映像処理方法。
【請求項１４】
少なくとも一つ以上の前記ユーザーインタフェースに含まれる内容を合わせて表示することを特徴とする請求項９に記載の映像処理方法。
【請求項１５】
前記ユーザーインタフェースの位置を複数に設定し、前記ユーザーの選択事項にしたがって選択された前記位置に前記ユーザーインタフェースを表示することを特徴とする請求項９に記載の映像処理方法。
【請求項１６】
前記ユーザーインタフェースは、ウィジェット、応用プログラム及びＯＳＤの中で少なくとも一つであることを特徴とする請求項９に記載の映像処理方法。
【請求項１７】
映像表示方法において、
ユーザーインタフェース領域を複数の単位領域に分割する段階と；
前記単位領域に基づいたディスプレイ大きさ、ユーザーインタフェースのディスプレイ位置、又はユーザーインタフェースの前記ディスプレイ大きさ及び前記位置を選択するためのメニューを表示する段階と；
前記メニューを通じてユーザー入力を受ける段階と；
前記ユーザー入力にしたがって前記ユーザーインタフェース領域に前記ユーザーインタフェースを表示する段階と；
を含むことを特徴とする映像表示方法。
【請求項１８】
前記複数の単位領域のそれぞれは、大きさが同一で、前記ディスプレイ大きさは複数のディスプレイの大きさの中でいずれの一つであり、前記複数のディスプレイ大きさのそれぞれは、前記単位領域の整数倍であることを特徴とする請求項１７に記載の映像表示方法。
【請求項１９】
前記ディスプレイの位置は、複数の所定のディスプレイ位置の中でいずれの一つであることを特徴とする請求項１７に記載の映像表示方法。
【請求項２０】
前記ユーザーインタフェースは、ウィジェット、アプリケーションプログラム、又はＯＳＤを含むことを特徴とする請求項１７に記載の映像表示方法。
【発明の詳細な説明】
【技術分野】
【０００１】
本発明は、映像処理装置及び映像処理方法に係り、さらに詳しくは、テレビジョン等のＣＥ器機に適切なレイアウトとインタラクション（Interaction）方式を使用するユーザーインタフェースを提供する映像処理装置及び映像処理方法に関する。
【背景技術】
【０００２】
ＣＥ（Consumer  Electronic）器機でネットワーク通信が可能になることによって、見られるコンテンツが多様になり、ＣＥ器機自体の機能も多様になっている。このように機能が増加すればするほど、既存のメニュー方式で機能を照会して使用することが、ますます難しくなる。 
【０００３】
このような環境では、ウィジェットというアプリケーション概念のインタフェースを使用することがさらに便利である。ウィジェット（Widget）は、応用プログラムを動作させ、その結果を画面に表示する小さいグラフィックユーザーインタフェース（Graphic  User  Interface：GUI）道具をいう。しかし、ウィジェットは、ＰＣ環境から発展したインタフェース方式で、既存のウィジェット方式をテレビ等のＣＥ器機にそのまま適用することは不便が多い。
【０００４】
図１Ａは、ウィジェットが表示された画面の一例を示す図である。図１Ａに示すように、ＣＥ器機１００の全体画面の一部領域には、ウィジェット実行窓１１０、４１０、５１０又はウィジェットギャラリー窓１２０、３１０、６１０が表示されることができる。
【０００５】
以下、図１Ｂ乃至図１Ｄ及び図３乃至図６に示すウィジェット実行窓１１０、４１０、５１０又はウィジェットギャラリー窓１２０、３１０、６１０は、図１Ａに示すように、ＣＥ器機１００の全体画面の一部領域に表示されていると仮定する。
【０００６】
図１Ｂはウィジェット実行窓を示す図である。
【０００７】
ユーザーがウィジェットを実行させる場合、ＣＥ器機１００の画面の一部領域にウィジェット実行窓１１０が表示される。前記ウィジェット実行窓１１０は、ユーザーが以前に登録した多数のウィジェット、即ちウィジェットＡ１１１、ウィジェットＢ１１２及びウィジェットＣ１１３とウィジェットギャラリー１１４メニューとウィジェット伝送１１５メニューで構成されることができる。ウィジェットＡ１１１、ウィジェットＢ１１２及びウィジェットＣ１１３のそれぞれには、該当ウィジェットの基本的で簡単な情報が表示されることができる。この場合、ユーザーが特定のウィジェットを選択すれば、ウィジェット実行窓１１０には、選択されたウィジェットの詳細情報が表示される。一方、ユーザーがウィジェットギャラリー１１４メニューを選択すれば、ＣＥ器機１００は、ウィジェット実行窓１１０の代わりに図１Ｃに示すウィジェットギャラリー窓１２０を表示する。また、ユーザーがウィジェット伝送１１５メニューを選択すれば、ＣＥ器機１００は、コンテンツの提供サーバーとの通信を通じて、選択したウィジェット情報又はアップデート情報を送信受ける。
【０００８】
図１Ｂにおいて、ウィジェット実行窓１１０に表示されるウィジェットＡ１１１、ウィジェットＢ１１２及びウィジェットＣ１１３は、大きさが同一に設定されている。従って、ユーザーの選好度にしたがってウィジェット別に大きさを多様に設定することができる方法はない。
【０００９】
図１Ｃはウィジェットギャラリー窓を示す図である。
【００１０】
ユーザーが、図１Ｂに示すウィジェット実行窓１１０でウィジェットギャラリー１１４メニューを選択すれば、ＣＥ器機１００はウィジェット実行窓１１０の代わりにウィジェットギャラリー窓１２０を画面に表示する。ウィジェットギャラリー窓１２０は、ウィジェット実行窓１１０に表示されるウィジェット目録、ウィジェット編集メニューで構成されることができる。図１Ｃ示すように、ウィジェット実行窓１１０に表示されるウィジェットは、情報、エンターテインメント、放送、コミュニケーション、検索及び設定などのカテゴリーで分類されている。また、ウィジェット編集メニューは、登録１２１メニュー、削除１２２メニュー及び以前画面１２３メニューで構成されている。登録１２１メニューは、選択されたウィジェットをウィジェット実行窓１１０に表示し、削除メニュー１２２は、選択されたウィジェットをウィジェット実行窓１１０から削除する。以前画面１２３メニューは、以前画面に移動する。即ち、ＣＥ器機１００は、以前の画面であるウィジェット実行窓１１０を再び画面に表示する。
【００１１】
ユーザーは、ウィジェットギャラリー窓１２０で特定のウィジェットを選択してウィジェット実行窓１１０に登録する。その後、選択されたウィジェットが登録されているウィジェット実行窓１１０に移動することができる。したがって、登録を願うウィジェットがウィジェット実行窓１１０にどのように表示されるのかを予め分かることができる方法はない。
【００１２】
図１Ｄは選択されたウィジェットの詳細内容がウィジェット実行窓に表示される場合を示す図である。
【００１３】
ユーザーが図１Ｂのウィジェット実行窓１１０でウィジェットＡ１１１を選択したと仮定すれば、ウィジェット実行窓１１０にはウィジェットＡ１１１の詳細情報が表示される。この場合、内容が複数のページである場合、ユーザーは以前１３１メニューと次１３２メニューを使用してページを移動する。
【００１４】
また、ウィジェットＢ１１２の詳細内容を見るためには、ユーザーは、以前画面１３３メニューを使用してウィジェット実行窓１１０の初期画面に移動し、再びウィジェットＢ１１２を選択する。即ち、多数のウィジェットの詳細内容を見るためには、ユーザーが何回の動作を行わなければならない。ユーザーが願いウィジェットを一つのウィジェットに合わせて表示したらこのような不便を減らすことができる。しかし、現在多数のウィジェットを一つのウィジェットに合わせて表示する方法はない。
【００１５】
このようにＰＣ環境から発展した既存のウィジェット方式をテレビ等のＣＥ器機にそのままに適用するためには不便が多い。即ち、テレビ等のＣＥ器機は、ＰＣと入力機器及び入力方法が異なるので、ＰＣとは異なるレイアウトとインタラクションが必要である。本発明ではこのような問題を解決しようとする。
【発明の概要】
【発明が解決しようとする課題】
【００１６】
従って、本発明の目的は、テレビ等のＣＥ器機に適切なレイアウト及びインタラクション方式を使用するユーザーインタフェースを提供することである。
【課題を解決するための手段】
【００１７】
本発明の一側面による映像処理装置は、映像を処理して表示する映像処理部と；ユーザーの選択事項を入力受けるユーザー入力部と；ユーザーインタフェースの大きさ単位を複数に設定し、前記ユーザーの選択事項にしたがって選択された前記大きさ単位を含む領域に前記ユーザーインタフェースを表示するように、前記映像処理部を制御する制御部と；を含むことができる。
【００１８】
前記大きさ単位は、前記ユーザーインタフェースが表示される領域又は前記映像が表示される領域を一定間隔に分割し、前記一定間隔の整数倍に該当するように構成されることができる。
【００１９】
前記映像処理装置において、前記制御部は、同一種類の前記ユーザーインタフェースに対して前記大きさ単位を複数に設定するように前記映像処理部を制御することができる。
【００２０】
前記映像処理装置において、前記制御部は、前記ユーザーインタフェースの編集時に、前記ユーザーインタフェースが表示される領域と前記ユーザーインタフェースの編集メニューとを同時に表示するように前記映像処理部を制御することができる。
【００２１】
前記映像処理装置において、前記制御部は、前記ユーザーインタフェースが表示される領域又は前記映像が表示される領域に、一定間隔に分割された区画を表示するように前記映像処理部を制御することができる。
【００２２】
前記映像処理装置において、前記制御部は、少なくとも一つ以上の前記ユーザーインタフェースに含まれる内容を合わせて表示するように前記映像処理部を制御することができる。
【００２３】
前記映像処理装置において、前記制御部は、前記ユーザーインタフェースの位置を複数に設定し、前記ユーザーの選択事項にしたがって選択された前記位置に前記ユーザーインタフェースを表示するように、前記映像処理部を制御することができる。
【００２４】
前記映像処理装置において、前記ユーザーインタフェースは、ウィジェット、応用プログラム及びＯＳＤ（オンスクリーンディスプレイ：On  Screen  Display）の中で少なくとも一つを含むことができる。
【００２５】
また、本発明の他の側面による映像処理方法は、ユーザーインタフェースの大きさ単位を複数に設定する段階と；ユーザーの選択事項を入力受ける段階と；前記ユーザーの選択事項にしたがって複数の大きさ単位の中で選択された前記大きさ単位を含む領域に前記ユーザーインタフェースを表示する段階と；を含むことができる。
【００２６】
前記映像処理方法において、前記大きさ単位は、前記ユーザーインタフェースが表示される領域又は前記映像が表示される領域を一定間隔に分割し、前記一定間隔の整数倍に該当するように構成されることができる。
【００２７】
前記映像処理方法において、同一種類の前記ユーザーインタフェースに対して前記大きさ単位を複数に設定することができる。
【００２８】
前記映像処理方法において、前記ユーザーインタフェースの編集時に、前記ユーザーインタフェースが表示される領域と前記ユーザーインタフェースの編集メニューを同時に表示することができる。
【００２９】
前記映像処理方法において、前記ユーザーインタフェースが表示される領域又は前記映像が表示される領域に、一定間隔に分割された区画を表示することができる。
【００３０】
前記映像処理方法において、少なくとも一つ以上の前記ユーザーインタフェースに含まれる内容を合わせて表示することができる。
【００３１】
前記映像処理方法において、前記ユーザーインタフェースの位置を複数に設定し、前記ユーザーの選択事項にしたがって選択された前記位置に前記ユーザーインタフェースを表示することができる。
【００３２】
前記映像処理方法において、前記ユーザーインタフェースは、ウィジェット、応用プログラム及びＯＳＤの中で少なくとも一つを含むことができる。
【発明の効果】
【００３３】
以上で説明したように、本発明によると、テレビ等のＣＥ器機に適切なレイアウトとインタラクション方式を使用するユーザーインタフェースを提供することができる。具体的に、グリッド（Grid）単位にウィジェットを自在に配置することができる。また、ウィジェット編集時、ウィジェットギャラリーを通じて登録するウィジェットの目録を容易に照会し、ウィジェットの登録及び削除を容易にすることができる。これによって、ＣＥ器機に適切にウィジェットを表示することができる。
【図面の簡単な説明】
【００３４】
【図１Ａ】ウィジェットが表示された画面の一例を示す図である。
【図１Ｂ】ウィジェット実行窓を示す図である。
【図１Ｃ】ウィジェットギャラリー窓を示す図である。
【図１Ｄ】選択されたウィジェットの詳細内容がウィジェット実行窓に表示される場合を示す図である。
【図２】本発明の一実施形態による映像処理装置の構成を示す図である。
【図３】本発明の一実施形態によるウィジェットギャラリー窓の構成を示す図である。
【図４】本発明の一実施形態によるウィジェット実行窓の構成を示す図である。
【図５】本発明の他の実施形態によって同時に表示されるウィジェット実行窓とウィジェットギャラリー窓を示す図である。
【図６】本発明のまた他の実施形態によるウィジェットギャラリー窓の構成を示す図である。
【図７】本発明の一実施形態による映像処理方法を示す図である。
【発明を実施するための形態】
【００３５】
以下、添付図面を参照して本発明の実施形態に対して本発明の属する技術分野で通常の知識を有する人なら容易に実施できるように詳細に説明する。本発明は色々な形態で具現されることができるし、ここで説明する実施形態に限定されない。本発明を明確に説明するために、説明に関しない部分は省略し、明細書の全体を通じて同一または類似な構成要素に対しては同一な参照符号を付ける。
【００３６】
図２は、本発明の一実施形態による映像処理装置の構成を示す図である。
【００３７】
本発明の一実施形態による映像処理装置２００は、デジタルＴＶ、セットアップボックス、ＤＶＤ（Digital  Versatile  Disc）プレーヤー、移動端末、ＰＤＡ（Personal  Digital  Assistant）等がなることができる。また、コンテンツ提供サーバーとネットワークを通じて通信を行うことができるし、リモコン等の入力機器によって制御されることができるＣＥ器機ならば、本発明による映像処理装置２００になることができる。
【００３８】
本発明の一実施形態による映像処理装置２００は、通信部２０２、ユーザー入力部２０４、制御部２０６及び映像処理部２０８を含むことができる。
【００３９】
通信部２０２は、コンテンツ提供サーバーと通信を行うことができる。この場合、通信部２０２は、前記コンテンツ提供サーバーで送信したデータを受信することができる。本発明の一実施形態によると、前記通信は、インターネットプロトコル（Internet  Protocol：ＩＰ）による通信であることができる。
【００４０】
また、通信部２０２は、放送局から送信される放送信号を受信することができる。このため、通信部２０２は、受信した放送信号から願うチャネルの放送を選局するチューナー部（図示せず）及び前記チューナー部で選局した放送信号を元信号に復調するデモジュレーター（図示せず）等を含むことができる。
【００４１】
ユーザー入力部２０４は、ユーザーの選択事項を入力受けることができる。具体的には、ユーザー入力部２０４は、映像処理装置２００を遠隔で制御する外部入力装置又は映像処理装置２００に備わった入力ボタンを通じて前記ユーザーの選択事項を入力受けることができる。前記外部入力装置は、リモートコントローラーであることができる。この場合、ユーザーは、外部入力装置又は入力ボタンを通じてユーザーインタフェースに関する制御命令を入力することができる。
【００４２】
本発明で言及するユーザーインタフェースは、応用プログラムを動作させ、その結果を画面に表示するグラフィック道具を称する概念である。前記ユーザーインタフェースは、ウィジェット、応用プログラム及びＯＳＤ等であることができる。説明の便意のため、以下では、前記ユーザーインタフェースがウィジェットである場合を例えて説明する。
【００４３】
制御部２０６は、表示されるユーザーインタフェースの大きさ単位を複数に設定することができるように映像処理部２０８を制御することができる。前記大きさ単位は、ユーザーインタフェースが表示される領域または映像が表示される領域を一定間隔に分割し、前記一定間隔の整数倍に該当するように構成することができる。具体的に、ユーザーインタフェースが表示される領域、即ちウィジェット実行窓を一定のグリッドに分割し、分割された最小単位領域の整数倍に該当するように個別的な大きさ単位を設定することができる。また、映像が表示される領域、即ち全体画面を一定のグリッドに分割し、分割された最小単位領域の整数倍に該当するように大きさ単位を設定することができる。
【００４４】
この場合、制御部２０６は、同一種類のユーザーインタフェースに対して前記大きさ単位を複数に設定するように映像処理部２０８を制御することができる。具体的に、制御部２０６は、同一種類のユーザーインタフェースが表示されることができる大きさ単位を、第１大きさ単位、第２大きさ単位、第３大きさ単位、第４大きさ単位などに設定するように映像処理部２０８を制御することができる。この場合、第１大きさ単位は、分割された最小単位領域の１倍、第２大きさ単位は分割された最小単位領域の２倍、第３大きさ単位は分割された最小単位領域の３倍、第４大きさ単位は分割された最小単位領域の４倍に該当する大きさに設定されることができる。
【００４５】
制御部２０６は、ユーザーの選択事項に従って選択された前記大きさ単位が占有する領域にユーザーインタフェースを表示するように映像処理部２０８を制御することができる。例えば、ユーザーが第２大きさ単位の天気ウィジェットを選択した場合、制御部２０６は分割された最小単位領域の２倍に該当する大きさ領域に天気ウィジェットを表示するように映像処理部２０８を制御する。
【００４６】
本発明の他の実施形態によると、制御部２０６は、ユーザーインタフェースの編集時に前記ユーザーインタフェースが表示される領域と、前記ユーザーインタフェースの編集メニューを同時に表示するように映像処理部２０８を制御することができる。この場合、制御部２０６は、前記ユーザーインタフェースが表示される領域または前記映像が表示される領域に、一定間隔に分割された区画を表示するように映像処理部２０８を制御することができる。
【００４７】
本発明のまた他の実施形態によると、制御部２０６は、少なくとも一つ以上のユーザーインタフェースに含まれた内容を合わせて表示するように映像処理部２０８を制御することができる。これによって、ユーザーは、選択した色々なウィジェットの情報を一つのウィジェットに構成することができる。一般的に、ウィジェット実行窓に表示されるウィジェットには、基本的で簡単な情報だけ表示される。詳しく多い情報を見るためには、ユーザーが確認ボタンを選択する等のインタラクションを通じて各ウィジェットの詳細情報に進入しなければならない。したがって、多数のウィジェットに対して詳細内容を確認しようとする場合、ユーザーが何回リモコンを入力しなければならないので煩わしい。前記実施形態によると、ユーザーは、多数のウィジェットに含まれる内容を合わせて一回に確認することができる。したがって、図１Ｄで説明した問題が解決される。
【００４８】
本発明のまた他の実施形態によると、制御部２０６は、ユーザーインタフェースの位置を複数に設定し、前記ユーザーの選択事項にしたがって選択された前記位置に前記ユーザーインタフェースを表示するように映像処理部２０８を制御することができる。
【００４９】
映像処理部２０８は、制御部２０６の制御によって映像を処理して表示することができる。このために、映像処理部２０８は、液晶表示装置（Liquid  Crystal  Display：LCD）、有機電気発光ダイオード（Organic  Light  Emitting  Diodes：OLED）、又はプラズマ表示パネル（Plasma  Display  Panel：PDP）等を含むことができる。
【００５０】
図３は本発明の一実施形態によるウィジェットギャラリー窓の構成を示す図である。
【００５１】
ウィジェットギャラリー窓３１０には、ウィジェット実行窓に登録することができるウィジェットの目録が表示される。前記ウィジェットの目録は、コンテンツ提供サーバーから伝送受ける。ユーザーは、前記目録の中で願うウィジェットを選択し、これをウィジェット実行窓に登録することができる。また、ユーザーは、ウィジェット実行窓に既に登録されたウィジェットを削除したり変更することができる。
【００５２】
ウィジェットギャラリー窓３１０には、同一種類のユーザーインタフェースに対して設定された複数の大きさ単位が表示される。具体的に、同一種類のユーザーインタフェースが表示されることができる大きさ単位、即ち第１大きさ単位、第２大きさ単位、第３大きさ単位及び第４大きさ単位が夫々アイコン形態に表示されることができる。例えば、図３に示すように、第１大きさ単位は正方形のアイコン一つで表示され、第２大きさ単位は正方形のアイコン二つで表示されることができる。この場合、天気ウィジェットＡ３１１は第１大きさ単位の天気ウィジェットであり、天気ウィジェットＢ３１２は第２大きさ単位の天気ウィジェットであり、天気ウィジェットＣ３１３は第４大きさ単位の天気ウィジェットになる。
【００５３】
この場合、ユーザーは、同一種類のユーザーインタフェースに対して設定された複数の大きさ単位の中で願う大きさ単位を選択して、わずか一度の動作だけでもユーザーの選好度にしたがってユーザーインタフェースを願う大きさに設定することができる。
【００５４】
ＰＣ環境では、マウスを使用してユーザーインタフェースの大きさを自在に調節することができる。しかし、リモコン又はボタン入力方式を有するテレビジョン等のＣＥ器機では、ユーザーインタフェースの大きさを調節する機能がないとか、前記大きさ調節機能があっても何回ボタンを入力しなければならないので煩わしい。従って、図３に示すように、ウィジェットギャラリー窓が表示される場合、ユーザーは一回の入力動作だけでも選好度にしたがってウィジェット別に大きさを多様に設定することができる。従って、図１Ｂで説明した問題が解決されることができる。
【００５５】
図４は本発明の一実施形態によるウィジェット実行窓の構成を示す図である。
【００５６】
図４では、ユーザーが前記図３に示すウィジェットギャラリー窓３１０で、天気ウィジェットＣ３１３と、交通ウィジェットＢ３１５を選択した場合を仮定する。ウィジェット実行窓４１０は、ユーザーが登録した多数のウィジェットを表示する。ウィジェット実行窓４１０は、多数のウィジェットが表示される領域とウィジェットギャラリーメニュー及びウィジェット伝送メニューで構成されている。
【００５７】
本発明の一実施形態によるウィジェット実行窓４１０は、一定間隔で分割されることができるし、多数のウィジェットは前記一定間隔の整数倍に該当する大きさを有する。従って、映像処理装置２００はユーザーが選択した大きさ単位のウィジェットを、ウィジェット実行窓４１０の中で空いている領域に合わせて配置することができる。図４に示すように、ウィジェット実行窓４１０の一定領域にユーザーが選択した天気ウィジェットＣと交通ウィジェットＢが適切に配置されている。
【００５８】
図５は本発明の他の実施形態によって、同時に表示されるウィジェット実行窓とウィジェットギャラリー窓を示す図である。
【００５９】
本発明の他の実施形態によると、ウィジェットを編集する場合、ウィジェット実行窓と同一のレイアウトを表示してユーザーが容易にウィジェットを登録したり削除することができるようにする。この場合、図５に示すように、ウィジェットギャラリー窓３１０とウィジェット実行窓５１０のレイアウトが同時に画面に表示される。具体的に、映像処理装置２００は、ウィジェットが表示される領域、即ちウィジェット実行窓５１０に一定間隔で分割された区画を表示することができる。この場合、ウィジェット実行窓５１０には、一定間隔で分割された多数の区画、即ちａ区画５１１、ｂ区画５１２、ｃ区画５１３、ｄ区画５１４、ｅ区画５１５、ｆ区画５１６が点線で表示されることができる。一方、ユーザーは、ウィジェットギャラリー窓３１０に表示された大きさ単位を示すアイコンを参照して、ユーザーインタフェースが大枠でウィジェット実行窓５１０のどの位置に配置されるかを予め判断することができる。例えば、天気ウィジェットＣ３１３の場合、アイコンが四つの正方形でなっているので、ａ区画５１１、ｂ区画５１２、ｃ区画５１３、ｄ区画５１４でなる領域に表示されたり、ｃ区画５１３、ｄ区画５１４、ｅ区画５１５、ｆ区画５１６でなる領域に表示されることを分かることができる。また、ユーザーが選択されたウィジェットを登録すれば、ウィジェット実行窓５１０に直ちに表示されるので、願う位置ではない場合に即時に変更が可能である。これによって、ユーザーの意図に一致するウィジェット実行窓を容易に設定することができる。したがって、図１Ｃで説明した問題が解決されることができる。
【００６０】
図６は本発明のまた他の実施形態によるウィジェットギャラリー窓の構成を示す図である。
【００６１】
ウィジェットギャラリー窓６１０には、同一種類のユーザーインタフェースに対して設定された複数の位置が表示される。具体的に、同一種類のユーザーインタフェースが表示される位置、即ち、第１位置（上端）６１１、第２位置（中間）６１２、第３位置（下端）６１３、第４位置（左側）６１４、第５位置（右側）６１５が、それぞれアイコン形態で表示されることができる。例えば、図６に示すように、第１位置は上端に表示された正方形のアイコンで、第２位置は中間に位置する正方形のアイコンで、第３位置は下端に位置する正方形のアイコンで、第４位置は左側に位置する正方形のアイコンで、第５位置は右側に位置する正方形のアイコンで表示することができる。この場合、天気ウィジェットＡ６１１は第１位置であるのでウィジェット実行窓の上側に配置され、天気ウィジェットＢ６１２は第２位置であるのでウィジェット実行窓の中央に配置される。
【００６２】
また、同一種類のユーザーインタフェースが表示される位置、第１位置（上端）、第２位置（中間）、第３位置（下端）、第４位置（左側）、第５位置（右側）が、それぞれ文字形態で表示されることもできる。この場合、位置を異なるようにする正方形のアイコンの代わりに、上、中、下、左、右という文字が表示されることができる。
【００６３】
これによって、ユーザーは、同一種類のユーザーインタフェースに対して設定された複数の位置の中で願う位置を選択することができる。従って、ユーザーは、わずか一度の動作だけでもユーザーの選好度にしたがってユーザーインタフェースをウィジェット実行窓の中で願う位置に配置することができる。
【００６４】
図７は本発明の一実施形態による映像処理方法を示す図である。
【００６５】
映像処理装置２００は、同一種類のユーザーインタフェースに対して大きさ単位（又は位置）を複数に設定する（Ｓ７０１）。この場合、映像処理装置２００は、同一種類のユーザーインタフェースが表示される大きさ単位、即ち、第１大きさ単位、第２大きさ単位、第３大きさ単位、第４大きさ単位をそれぞれアイコンで表示することができる。また、映像処理装置２００は、同一種類のユーザーインタフェースが表示される位置、即ち、第１位置（上端）、第２位置（中間）、第３位置（下端）、第４位置(左側)、第５位置（右側）をそれぞれアイコンで表示することができる。
【００６６】
ユーザーが複数の大きさ単位（又は位置）の中で特定大きさ単位（又は位置）を選択する（Ｓ７０２）。この場合、映像処理装置２００は、選択された大きさ単位（又は位置）が占有する領域にユーザーインタフェースを表示する（Ｓ７０３）。
【００６７】
これによって、ユーザーは、ユーザーインタフェースの大きさ及び位置を容易に設定することができる。
【００６８】
以上、多様な実施形態を通じて本発明に対して図示し説明したが、本発明はこれに限定されず、本発明の属する技術分野の通常の知識を有する人なら本発明の原則や精神に外れなく本発明の実施形態を変形し得ることを分かることができる。発明の範囲は、特許請求の範囲とその均等物によって定まれる。
【符号の説明】
【００６９】
２００  映像処理装置
２０２  通信部
２０４  ユーザー入力部
２０６  制御部
２０８  映像処理部
【図１Ａ】
2010262642.tif 000003
【図１Ｂ】
2010262642.tif 000004
【図１Ｃ】
2010262642.tif 000005
【図１Ｄ】
2010262642.tif 000006
【図２】
2010262642.tif 000007
【図３】
2010262642.tif 000008
【図４】
2010262642.tif 000009
【図５】
2010262642.tif 000010
【図６】
2010262642.tif 000011
【図７】
2010262642.tif 000012